(57)【要約】  【課題】  あらかじめ特定の装置で真贋判定を行うために設計された専用のホログラムではない一般のホログラムによってカードの真贋の判定を可能にするカード真贋判定用ビューワを提供する。  【解決手段】  カード真贋判定用ビューワ１０は、カードに付されたホログラムによってカードの真贋を判定するためのカード真贋判定用ビューワ１０であって、ホログラムを観察するための窓を有する筐体１２と、筐体１２に設けられ、カードを載置するためのカード載置部２２と真贋判定の基準となる基準ホログラム１８とが並んで配置されたカードパネル１２ａと、カードパネル１２ａへの投射光を出力する点光源１４と、窓に取り付けられると共にカード載置部２２に載置されるカードに付されたホログラムおよび基準ホログラムの像を拡大する非球面レンズ２０とを備える。【選択図】  図１
2006076248.tif 000002
【特許請求の範囲】
【請求項１】
カードに付されたホログラムによってカードの真贋を判定するためのカード真贋判定用ビューワであって、
ホログラムを観察するための窓を有する筐体と、
前記筐体に設けられ、カードを載置するためのカード載置部と真贋判定の基準となる基準ホログラムとが並んで配置されたホログラム設置部と、
前記ホログラム設置部への投射光を出力する点光源と、
前記窓に取り付けられると共に前記カード載置部に載置されるカードに付されたホログラムおよび前記基準ホログラムの像を拡大する非球面レンズと、
を備えることを特徴とするカード真贋判定用ビューワ。
【請求項２】
前記点光源からの光を平行光に変換して前記ホログラム設置部に投射するための凹面鏡を備えることを特徴とする請求項１にカード真贋判定用ビューワ。
【請求項３】
前記点光源および前記ホログラム設置部は前記筐体の下部に設けられ、前記凹面鏡は前記筐体の上部に設けられることを特徴とする請求項２に記載のカード真贋判定用ビューワ。
【請求項４】
前記非球面レンズの光軸は、前記基準ホログラムを配置した面の法線と平行であることを特徴とする請求項１に記載のカード真贋判定用ビューワ。
【発明の詳細な説明】
【技術分野】
【０００１】
カードに付されたホログラムによってカードの真贋を目視で判定するためのカード真贋判定用ビューワに関する。
【背景技術】
【０００２】
従来から、ホログラムを利用してカード等の真贋を判定する装置が多数知られていた。例えば、特許文献１には、１台で複数種のホログラムに対応できるカード真贋判定装置が開示されている。この装置は、ホログラムに対して測定光を投影する測定光投影光学系と、ホログラムで反射された反射回折光を検出する検出系とカード真贋判定の動作制御を行う回路部とを備える。そして、回路部は、切換スイッチにより切換え作動するスイッチ回路と検出した光量分布によってカードの真贋を判定する第１〜第３の判定演算手段と表示器とを備える。この装置では、ある種のカードを判別したい場合、その種類に対応する判定演算手段を作動させるべく切換スイッチを操作してスイッチ回路を作動させる。
【特許文献１】特開２００２−３６６８９１号公報（３頁、図１２）
【発明の開示】
【発明が解決しようとする課題】
【０００３】
上記した特許文献１に見られるような従来のカード真贋判定装置は、あらかじめ決められたホログラムが付されたカードを判定するための専用品であった。つまり、従来のカード真贋判定装置は、専用のホログラムの真贋を判定するための仕様で製作されていたので、専用のホログラムが付されたカードとセットで提供されて初めて有効に利用できるものであった。従って、従来の装置では、現存するクレジットカード等に付されたホログラムによって真贋を判定することはできなかった。
【０００４】
そこで本発明は上記背景に鑑み、あらかじめ特定の装置で真贋判定を行うために設計された専用のホログラムではない一般のホログラムによって、カードの真贋の判定を可能にするカード真贋判定用ビューワを提供することを目的とする。
【課題を解決するための手段】
【０００５】
本発明のカード真贋判定用ビューワは、カードに付されたホログラムによってカードの真贋を判定するためのカード真贋判定用ビューワであって、ホログラムを観察するための窓を有する筐体と、前記筐体に設けられ、カードを載置するためのカード載置部と真贋判定の基準となる基準ホログラムとが並んで配置されたホログラム設置部と、前記ホログラム設置部への投射光を出力する点光源と、前記窓に取り付けられると共に前記カード載置部に載置されるカードに付されたホログラムおよび前記基準ホログラムの像を拡大する非球面レンズとを備える。
【０００６】
このようにカードを載置するための載置部と基準ホログラムとが並んで配置されているので、カード載置部に載置されるカードのホログラムと基準ホログラムの像とを並べて同時に映し出すことができる。これにより、カードのホログラムと基準ホログラムとを目視で見比べることができるようにし、一般のホログラムによるカードの真贋の判定を可能にしている。また、非球面レンズを用いて、歪みの発生を抑制しつつホログラムの像を拡大しているので、真贋判定の精度を高めることができる。
【０００７】
上記カード真贋判定用ビューワは、前記点光源からの光を平行光に変換して前記ホログラム設置部に投射させるための凹面鏡を備えてもよい。
【０００８】
このように凹面鏡でホログラムに投射する光を平行光に変換することによって、ホログラムの像の再生条件を整え、明暗のはっきりとした像を再生することができる。
【０００９】
上記カード真贋判定用ビューワにおいて、前記点光源および前記ホログラム設置部は前記筐体の下部に設けられ、前記凹面鏡は前記筐体の上部に設けられていてもよい。
【００１０】
このように筐体の下部に設けられた点光源から出力された光を筐体の上部の凹面鏡で反射して筐体下部にホログラム設置部に投射する構成により、投射光学系を小さいスペースで実現でき、装置の小型化を図ることができる。
【００１１】
上記カード真贋判定用ビューワにおいて、前記非球面レンズの光軸は、前記基準ホログラムを配置した面の法線と平行に設定されている。
【００１２】
このように非球面レンズの光軸と基準ホログラムを配置した面の法線とが平行になるような位置関係で非球面レンズおよびホログラム設置部を配置することにより、非球面レンズの光軸方向から窓を覗いたときの視野の中心にカードのホログラムおよび基準ホログラムが映し出される。従って、窓を覗く角度が、非球面レンズの光軸から多少ずれてもカードのホログラムと基準ホログラムを視野に入れることができる。
【発明の効果】
【００１３】
本発明は、カードを載置するための載置部と基準ホログラムとが並んで配置されているので、カード載置部に載置されるカードのホログラムと基準ホログラムの像とを並べて同時に映し出して目視で見比べることができるようにし、一般のホログラムによるカードの真贋判定を可能にしている。また、非球面レンズを用いて、歪みの発生を抑制しつつホログラムの像を拡大しているので、真贋判定の精度を高めることができる。
【発明を実施するための最良の形態】
【００１４】
以下、本発明の実施の形態のカード真贋判定用ビューワについて図面を用いて説明する。
【００１５】
図１は本実施の形態のカード真贋判定用ビューワ１０の外観を示す図、図２はカード真贋判定用ビューワ１０の側面図、図３はカード真贋判定用ビューワ１０の正面図である。カード真贋判定用ビューワ１０は、複数のパネル１２ａ〜１２ｆからなる筐体１２に取り付けられた点光源１４、凹面鏡１６、基準ホログラム１８、および非球面レンズ２０を備える。
【００１６】
図１に示すように、筐体１２の下面は、カードを載置するためのカード載置部２２が形成されたカードパネル１２ａおよび点光源１４を取り付けたライトカバーパネル１２ｅによって構成される。また、カードパネル１２ａには、カード載置部２２に載置されるカードのホログラムと隣接する位置に基準ホログラム１８が取り付けられている。基準ホログラム１８は、真のカードのホログラムであって、カード真贋判定の基準となるホログラムである。判定対象のカードのホログラムが基準ホログラム１８と同じ場合には、真のカードであると判定される。
【００１７】
筐体１２の前面にはパネルがなく、カード載置部２２に載置するカードを容易に出し入れできるようになっている。ライトカバーパネル１２ｅは、カードパネル１２ａの後ろ側に位置している。ライトカバーパネル１２ｅの中央に点光源１４が取り付けられている。点光源１４としては、ハロゲンランプが用いられる。
【００１８】
筐体１２の上面は、カードパネル１２ａを臨む窓が形成されたレンズパネル１２ｂと、凹面鏡１６が取り付けられたミラーパネル１２ｃとによって構成される。レンズパネル１２ｂは、カードパネル１２ａに対向する位置に配置されている。レンズパネル１２ｂの窓は、基準ホログラム１８およびカード載置部２２に載置されるカードのホログラムに対応する位置に形成されている。窓には、ホログラムの像を拡大するための非球面レンズ２０が取り付けられている。非球面レンズ２０の光軸は、図２に示すように、基準ホログラム１８が配置されたカードパネル１２ａの法線と平行となるように設定されている。
【００１９】
ミラーパネル１２ｃは、レンズパネル１２ｂの後ろ側に位置している。図２に示すように、ミラーパネル１２ｃには、点光源１４から出力された光を平行光に変換する凹面鏡１６が取り付けられている。凹面鏡１６は、点光源１４からの光をカードパネル１２ａに投射させる向きに固定されている。
【００２０】
筐体１２の上面と下面とは、２枚のサイドパネル１２ｆおよびバックパネル１２ｄによって接続されている。２枚のサイドパネル１２ｆおよびバックパネル１２ｄは、点光源１４から凹面鏡１６への光路の側面および背面を覆うようにして設けられている。
【００２１】
次に、本実施の形態のカード真贋判定用ビューワ１０の使用態様について説明する。まず、カード載置部２２に判定対象のカードを載置する。判定対象のカードは、例えば、ホログラムが付されたクレジットカード、ＩＤカード、ハイウェイカード等である。そして、ホログラムを再生するため、点光源１４のスイッチを入れる。なお、カードの真贋判定を頻繁に行う場合には、点光源１４は常時ＯＮにしておいてもよい。点光源１４から出力された光は、凹面鏡１６で平行光に変換され、載置されたカードのホログラムおよび基準ホログラム１８に投射される。
【００２２】
平行光が投射されると、カードのホログラムおよび基準ホログラム１８での反射光がホログラムの像を再生する。カードの真贋を判定する判定者は、非球面レンズ２０が取り付けられた窓を通じてホログラムの像を観察する。カードのホログラムの像と基準ホログラム１８の像が拡大されて並んで映し出されるので、判定者は基準ホログラム１８の像とカードのホログラムの像が同じか否かに基づいてカードの真贋を判定することができる。以上、本発明の実施の形態のカード真贋判定用ビューワ１０について説明した。
【００２３】
本実施の形態のカード真贋判定用ビューワ１０は、判定対象のカードを載置するカード載置部２２に隣接して基準ホログラム１８が配置されており、カードのホログラムの像と基準ホログラム１８の像とが並んで映し出される。これにより、ホログラムによるカードの真贋判定を目視で行うことができる。この装置によって、ホログラムが付されている一般のカードの真贋を判定でき、強固なセキュリティ環境を実現することができる。
【００２４】
また、本実施の形態では、ホログラムの像を観察するための窓に、非球面レンズ２０が取り付けられており、ホログラムの像の歪みを低減しつつ像を拡大する。これにより、ホログラムの像を詳細に見ることができ、真贋判定の精度を高めることができる。
【００２５】
また、本実施の形態では、点光源１４から出力された光を凹面鏡１６によって平行光に変換し、ホログラムに投射しているので、明暗のはっきりしたホログラムを再生できる。さらに凹面鏡１６によって点光源１４からの光を折り返してカードパネル２２に投射する構成によって、小さいスペースで投射光学系を実現でき、装置の小型化を図ることができる。
【００２６】
以上、本発明のカード真贋判定用ビューワ１０について実施の形態を挙げて詳細に説明したが、本発明は上記実施の形態に限定されるものではない。
【００２７】
上記した実施の形態では、判定対象のカードを容易に出し入れできるように前面にパネルがない筐体１２を用いたが、図４に示すように、カードを出し入れするための開口が形成されたフロントパネル１２ｇを有する構成としてもよい。
【００２８】
また、上記した実施の形態では、点光源１４から出力された光を平行光に変換するために凹面鏡１６を用いたが、平行光に変換するための構成は凹面鏡１６に限られず、凸レンズを用いることも可能である。
【００２９】
また、上記した実施の形態において、基準ホログラム１８を固定するのではなく、真贋判定の対象のカードに応じて、基準ホログラム１８を取替え可能な構成としてもよい。
【００３０】
また、本発明のカード真贋判定用ビューワを、上記した実施の形態で説明した以外の対象、例えば、トラベラーズチェック、商品券、紙幣等に適用することも可能である。
【産業上の利用可能性】
【００３１】
以上説明したように、本発明は、目視によるホログラムの比較によって、一般のホログラムによるカードの真贋判定を可能にするという効果を有し、クレジットカード等に付された既存のホログラムによる真贋を判定するためのカード真贋判定用ビューワ等として有用である。
【図面の簡単な説明】
【００３２】
【図１】本実施の形態のカード真贋判定用ビューワの外観を示す図である。
【図２】本実施の形態のカード真贋判定用ビューワの側面図である。
【図３】本実施の形態のカード真贋判定用ビューワを正面図である。
【図４】本実施の形態のカード真贋判定用ビューワの変形例を示す図である。
【符号の説明】
【００３３】
１０  カード真贋判定用ビューワ
１２  筐体
１４  点光源
１６  凹面鏡
１８  基準ホログラム
２０  非球面レンズ
２２  カード載置部
【図１】
2006076248.tif 000003
【図２】
2006076248.tif 000004
【図３】
2006076248.tif 000005
【図４】
2006076248.tif 000006